(57)【要約】【課題】製作が容易でかつ原料素材のロスが少ない撒き菱を提供しようとする。更に、撒き菱を所定の面状あるいは線状に連らねて使用するときに設置が容易な撒き菱構造体を提供しようとする。【解決手段】長手方向にみた中間部で曲げられた２本の棒状部材が、先端の突出方向を互いに逆にして交差して接合されて成る撒き菱であり、複数の撒き菱が長尺部材を介して列状に連結されて成る撒き菱構造体であり、前記長尺部材が板状物から成るカーソルであり、該カーソルの長手方向両縁部がそれぞれ内側に折り曲げられて該カーソルの表側に形成された一対の凹陥部のうちの一方の凹陥部に、前記撒き菱の１の先端部が挿入され、他方の凹陥部に、前記撒き菱の他の２の先端部が挿入された撒き菱構造体であり、複数の前記カーソルが、簾状に連結されて成る複合カーソルに、撒き菱が装着されてなる撒き菱構造体である。【選択図】  図１
2004225949.tif 000002
【特許請求の範囲】
【請求項１】
長手方向にみた中間部で曲げられた２本の棒状部材が、先端の突出方向を互いに逆にして交差して接合されて成る撒き菱。
【請求項２】
前記棒状部材の先端部に突き刺し防止手段が設けられた請求項１に記載の撒き菱。
【請求項３】
複数の撒き菱が長尺部材を介して列状に連結されて成る撒き菱構造体。
【請求項４】
複数の請求項２に記載の撒き菱が長尺部材を介して列状に連結されて成る撒き菱構造体。
【請求項５】
前記長尺部材が鎖又は帯状物又は紐であり、前記撒き菱が、前記２本の棒状部材が交差する交差部で前記長尺部材と結合された請求項３又は４に記載の撒き菱構造体。
【請求項６】
前記撒き菱が被載置物上に載置され、前記長尺部材が、鎖又は長手方向に沿って複数の孔又は潜在的な孔が形成された帯状部材を含んで成り、前記撒き菱の上方に突出する先端部が前記鎖の各輪又は各前記孔に挿入され、又は前記潜在的な孔に突入され、前記長尺部材の１の部分又は複数の部分が前記被載置物に固定された請求項３又は４に記載の撒き菱構造体。
【請求項７】
前記長尺部材が上に凸の溝形状に形成され、前記長尺部材の長手方向各縁部に複数の切欠きが形成され、前記長尺部材の上部に前記長尺部材の長手方向に沿って複数の貫通孔が形成され、前記長尺部材及び前記撒き菱が被載置面上に載置され、前記撒き菱の該被載置面に接する１の先端部が一の前記縁部に形成された前記切欠きに挿入され、前記撒き菱の該被載置面に接する他の２の先端部が他の前記縁部に形成された前記切欠きにそれぞれ挿入され、前記撒き菱の上方に突出する先端部が前記貫通孔に挿入された請求項３又は４に記載の撒き菱構造体。
【請求項８】
前記長尺部材が板状物から成るカーソルであり、該カーソルの長手方向両縁部がそれぞれ内側に折り曲げられて該カーソルの表側に形成された一対の凹陥部のうちの一方の凹陥部に、前記撒き菱の１の先端部が挿入され、他方の凹陥部に、前記撒き菱の他の２の先端部が挿入された、請求項３又は４に記載の撒き菱構造体。
【請求項９】
複数の、請求項８に記載の撒き菱構造体に用いられる前記カーソルが、簾状に連結されて成る複合カーソル。
【請求項１０】
請求項９に記載の複合カーソルに、請求項１又は２に記載の撒き菱が装着されてなる撒き菱構造体。
【発明の詳細な説明】
【０００１】
【発明の属する技術分野】
本発明は、人や動物や物体の移動を妨げる目的の、撒き菱及び複数の撒き菱が配列されてなる撒き菱構造体に関する。
【０００２】
【従来の技術】
人や動物の往来を妨げる目的で地面や構造物に載置する撒き菱としては、図１３に示すような、一端１２が尖った４本の棒状部材１４の他端１６を中心１８で接合して、一端１２を四面体の頂点の位置に配したもの（撒き菱２ａ）や、図１４に示すように一枚の鉄板の各隅に、折り曲げられたとき山形の突起２０を形成するような切れ目２１と折り目２３を対向する縁部２２それぞれに入れ、突起２０の部分が上方に折り曲げられ、下方に折り曲げた部分を脚部２５としたもの（撒き菱２ｂ）や、図１５に示すような、中心部３０から十字放射状に張り出し先端が尖った突起部３２を有する形状の鉄板について、一の対向する一対の突起部３２のそれぞれを上方に折り曲げ、他の対向する一対の突起部３４のそれぞれを下方に折り曲げたもの（撒き菱２ｃ）が知られている。
【０００３】
撒き菱２ａは製作に手間がかかり、撒き菱２ｂは大型のものを作る場合、突起２０と脚部２５の面積が大きくなり材料のロスが大きい。撒き菱２ｃは突起部３２、３４を折り曲げる前の板を大判の板から打ち抜いたあとに残る板の部分即ち打ち抜きロスが大きい。
【０００４】
更に、これらの従来の撒き菱は、ランダムにあるいは個々に地面等に撒いて使用されるが、所定の面状あるいは線状に連なった撒き菱の集合として使用する場合は設置に手間がかかる。
【０００５】
【発明が解決しようとする課題】
本発明は、これら問題点に鑑み、製作が容易でかつ原料素材のロスが少ない撒き菱を提供しようとする。更に、撒き菱を所定の面状あるいは線状に連らねて使用するときに設置が容易な撒き菱構造体を提供しようとする。
【０００６】
【課題を解決するための手段】
本発明の要旨とするところは、長手方向にみた中間部で曲げられた２本の棒状部材が、先端の突出方向を互いに逆にして交差して接合されて成る撒き菱であることにある。
【０００７】
前記棒状部材は、両端が尖った釘が曲げられて成り得る。
【０００８】
前記棒状部材の先端部には、突き刺し防止手段が設けられ得る。
【０００９】
又、本発明の要旨とするところは、複数の前記撒き菱が長尺部材を介して列状に連結されて成る撒き菱構造体であることにある。
【００１０】
又、本発明の要旨とするところは、複数の撒き菱が長尺部材を介して列状に連結されて成る撒き菱構造体であることにある。
【００１１】
前記長尺部材は可撓性であり得る。
【００１２】
前記長尺部材が鎖又は帯状物又は紐であり得、前記撒き菱が、前記２本の棒状部材が交差する交差部で前記長尺部材と結合され得る。
【００１３】
更に、本発明の要旨とするところは、前記撒き菱が被載置物上に載置され、前記長尺部材が、鎖又は長手方向に沿って複数の孔又は潜在的な孔が形成された帯状部材を含んで成り、前記撒き菱の上方に突出する先端部が前記鎖の各輪又は各前記孔に挿入され、又は前記潜在的な孔に突入され、前記鎖又は前記帯状部材の１の部分又は複数の部分が前記被載置物に固定された前記撒き菱構造体であることにある。
【００１４】
前記撒き菱構造体においては、前記長尺部材が、上に凸の溝形状に形成され得、前記長尺部材の長手方向各縁部に複数の切欠きが形成され得、前記長尺部材の上部に前記長尺部材の長手方向に沿って複数の貫通孔が形成され得、前記長尺部材及び前記撒き菱が被載置面上に載置され得、前記撒き菱の該被載置面に接する１の先端部が一の前記縁部に形成された前記切欠きに挿入され得、前記撒き菱の該被載置面に接する他の２の先端部が他の前記縁部に形成された前記切欠きにそれぞれ挿入され得、前記撒き菱の上方に突出する先端部が前記貫通孔に挿入され得る。
【００１５】
前記長尺部材は、板状物から成るカーソルであり得、該カーソルの長手方向両縁部がそれぞれ内側に折り曲げられて該カーソルの表側に形成された一対の凹陥部のうちの一方の凹陥部に、前記撒き菱の１の先端部が挿入され得、他方の凹陥部に、前記撒き菱の他の２の先端部が挿入され得る。
【００１６】
更に、本発明の要旨とするところは、複数の前記撒き菱構造体に用いられる前記カーソルが簾状に連結されて成る複合カーソルであることにある。
【００１７】
又更に、本発明の要旨とするところは、前記複合カーソルに前記撒き菱が装着されてなる撒き菱構造体であることにある。
【００１８】
【発明の実施の形態】
本発明に係る態様を図面に基づいて詳しく説明する。図１に示すように、本発明の撒き菱４０は、両方の端部４３がハの字形に開脚し長手方向にみた中間部４１で曲った棒状部材４２、４４から構成される。棒状部材４２、４４は、先端４６の突出方向を互いに逆にしてそれぞれの中間部４１同士で交差する交差部４８で互いに交差して溶接等により接合されている。
【００１９】
突出方向を互いに逆にするということは、交差部４８から棒状部材４２の先端４６同士を結ぶ仮想線Ａの中間点Ｃをのぞむ方向Ｄと、交差部４８から棒状部材４４の先端４６同士を結ぶ仮想線Ｂの中間点Ｃ´をのぞむ方向Ｄ´とが略逆向きであるということを意味する。
【００２０】
交差部４８は棒状部材４２、４４が図１に示すように曲りの内側同士で接合されることが最も好ましいが、曲りの外側同士で接合されてもよい。
【００２１】
棒状部材４２、４４は丸棒の両先端を斜めに切り落として尖らせ、中間部で曲げて製造してもよい。又釘と呼ばれる両先端が尖ったＵ字形の釘をハの字形に開脚するように曲げて用いてもよい。
【００２２】
本発明においては、図２の撒き菱４０ａのように、棒状部材４２ａ、４４ａが、鉄板のような金属板を長尺状に打ち抜いて作られてもよい。棒状部材４２ａは直線状の長尺状に打ち抜かれた金属板を略くの字形に曲げて作られ、棒状部材４４ａは略くの字形の長尺状に打ち抜かれた金属板から成る。
【００２３】
本発明においては、直線状の長尺状に打ち抜かれた一対の金属板をそれぞれ略くの字形に曲げて棒状部材として用い、中間部で溶接接合してもよい。
【００２４】
更に、本発明においては、長尺状に打ち抜かれた金属板を、金属板の長手方向を軸として捻り、かつ必要ならば曲げたものを棒状部材として用いてもよい。
【００２５】
又、図３に示すように、本発明においては、略くの字形の長尺状に打ち抜かれた金属板５２が、突出方向を互いに逆にしてそれぞれの中間部４１同士で交差する交差部４８で互いに長手方向と面方向に交差して溶接接合されていてもよい。中間部４１には、互いに相手の金属板が挿入される細長の切込みが金属板５２の長手方向と直角方向に形成されていることが好ましい。
【００２６】
これらの態様の本発明の撒き菱は、いずれも１組の長尺の部材を組み立てて互いに接合して得られるので、大きなサイズの撒き菱を作っても材料のロスが少なく、かつ組み立て操作が容易である。又、先端を予め鋭利に加工してから組み立てることが出来るので、先端鋭利な撒き菱を容易に得ることが出来る。
【００２７】
本発明の撒き菱は、ランダムに地上等の被載置物上に散布して用いてもよいが、長尺の部材を介して予め長く一列に配列した状態に連結したものを被載置物上に置いて用いることが出来る。これにより、定められた位置、例えば塀の上や壕の脇等に効率よく簡単な操作で撒き菱群を配置出来る。
【００２８】
図４に長く一列に配列した本発明の撒き菱４０の連結の態様を示す。図４においては、撒き菱４０が、鎖５４から成る長尺部材６０を介して列状に連結されて撒き菱構造体７０を構成している。撒き菱４０は略等間隔で一列に並び、各交差部４８で鎖５４の環６２とそれぞれＳ字形の結合環６４を介して結合されている。環６２と交差部４８との結合は結合環６４を介さずに直接溶接等により結合されてもよいが、結合環６４を介して環６２や交差部４８との結合が遊嵌状態でなされていることが好ましい。
【００２９】
撒き菱構造体７０は自在に折り曲げられ、又、自在に捻られることが出来るので、収納が容易である。又、収納された状態から取り出して地上等の被載置物８０上に載置するときには、鎖５４の端部や末端の撒き菱４０を掴んで撒き菱構造体７０を被載置物上に延ばしてほぼ無造作に置くだけで撒き菱４０が一列に並んだ状態をつくることが出来る。このとき、各撒き菱４０の１の先端４６が上方を向き、他の３の先端４６が被設置面に接する状態が容易に得られる。環６２や交差部４８と結合環６４との結合が遊嵌状態であれば、撒き菱４０の配置の自由度が増して更に容易に撒き菱４０がそのように一列に並んだ状態をつくることが出来る。
【００３０】
鎖５４の撒き菱４０と結合されてない環５４の少なくとも２個を、不図示のビスを介して不図示の被設置物に固定することにより、撒き菱構造体７０を被設置面に固定することが出来る。
【００３１】
更に、撒き菱構造体７０を柱やたて樋等の柱状の建造物や樹木に螺旋状に巻付けることにより、侵入者の行動を規制出来る。又、建造物や樹木の上部から撒き菱構造体７０を単独であるいは珠暖簾状に垂下させることにより侵入者の行動を規制出来る。
【００３２】
複数の撒き菱４０を連ねる長尺部材は、鎖の他に可撓性の帯状物や紐であってもよい。更に、長尺部材は剛に形成された部材からなっていてもよい。この場合は、所定の場所に所定の配列状態で配置することが容易となる。
【００３３】
本発明の他の態様においては、図５に示すように、予め複数の撒き菱４０を一列に被載置物８０上に各撒き菱４０の１の先端部８６が上方を向くようにして、ほぼ等間隔に並べる。このとき、各撒き菱４０の他の３の先端部８５は被載置面に接している。次いで、鎖５４ａをほぼ直線状に延ばして撒き菱４０の列と平行にして上方から降下させて、相対する鎖５４ａの環６２ｂに各先端部８５を挿入し、各環６２ｂが交差部４８に止まるところまで鎖５４ａを更に降下させた後、先端部８５が挿入されてない環のうちの少なくとも２個を、ビス７７を介して被設置物８０に固定することにより、複数の撒き菱４０から成る列が被設置面に固定された撒き菱構造体７０ｂを得る。撒き菱構造体７０ｂは撒き菱４０、鎖５４ａ及びビス７７という簡単な構成要素により構成され、組み立てが容易である。
【００３４】
本発明の更に他の態様においては、図６に示すように、撒き菱４０が、帯状部材７２を介して列状に連結されて撒き菱構造体７０ｃを構成している。帯状部材７２は金属製であってもよい。樹脂製や布製であってもよい。帯状部材７２には、長手方向に複数個の孔７４が形成されている。予め複数の撒き菱４０を一列に不図示の被載置物上に各撒き菱４０の１の先端部が上方を向くようにして、ほぼ等間隔に並べる。このとき、各撒き菱４０の他の３の先端部は被載置面に接している。次いで、帯状部材７２をほぼ直線状に延ばして撒き菱４０の列と平行にして上方から降下させて、相対する孔７４に各先端部８６を挿入し、帯状部材７２の各孔部が交差部４８に止まるところまで帯状部材７２を更に降下させた後、先端部８６が挿入されてない孔７４のうちの少なくとも２個を、不図示のビスを介して被設置物に固定することにより、複数の撒き菱４０から成る列が被設置面に固定された撒き菱構造体７０ｃを得る。撒き菱構造体７０ｃは撒き菱４０、帯状部材７２及びビス７７という簡単な構成要素により構成され、組み立てが容易である。帯状部材７２に代えて紐を用いてもよい。紐や、繊維集合体から成る帯状部材は、潜在的な孔（突き刺されて容易に孔となる部分）を有するので、各撒き菱４０の１の先端やビスを突き通して貫通させて撒き菱構造体７０ｃと同様の構造体を更に容易に得ることが出来る。
【００３５】
図７に本発明の更に他の態様を示す。図７（ａ）の要部斜視模式図に溝形板部材１００（長尺部材６０ｄ）の形状を示す。図７（ｂ）に示す撒き菱構造体７０ｄにおいては、複数の撒き菱４０、４０、４０・・・が、上に凸の溝形状に形成された溝形板部材１００（長尺部材６０ｄ）を介して連結される。長尺部材６０ｄの長手方向に沿った各縁部１１０、１１２には複数の切欠き１０２が形成され、長尺部材６０ｄの上部には長尺部材６０ｄの長手方向に沿って複数の貫通孔１０４が形成されている。長尺部材６０ｄ及び撒き菱４０、４０、４０・・・が不図示の被載置面上に載置される。撒き菱４０の被設置面に接する１の先端部８６が縁部１１０に形成された切欠き１０２に挿入され、撒き菱４０の被載置面に接する他の１の先端部８６が縁部１１２に形成された切欠き１０２に挿入され、残りの上方に突出する先端部８５が貫通孔１０４に挿入されている。
【００３６】
図８（ａ）の平面図、図８（ｂ）の正面図に長尺部材６０ｅの形状の他の一例を示す。
【００３７】
図９に、図８の長尺部材６０ｅを用いた撒き菱構造体７０ｇにおける撒き菱の配列の態様の上面模式図を示す。撒き菱４０ａは、１の先端部８４ａが長尺部材６０ｄの長手方向に沿った縁部１１０に形成された切欠き１０２に挿入され、他の２の先端部８４ｂ、８４ｃが縁部１１２に形成された切欠き１０２に挿入されている。撒き菱４０ａに隣接する撒き菱４０ｂは、１の先端部９４ａが長尺部材６０ｄの長手方向に沿った縁部１１２に形成された切欠き１０２に挿入され、他の２の先端部９４ｂ、９４ｃが縁部１１０に形成された切欠き１０２に挿入されている。このように、一列に配された撒き菱４０ａ、４０ｂ、４０ａ・・・は列方向と直交する方向の向きを交互にしている。
【００３８】
撒き菱構造体７０ｄ、７０ｇは、長尺部材と複数の撒き菱という簡単な構成要素により構成され、組み立てが容易である。
【００３９】
図１０に本発明の更に他の態様を示す。図１０に示す撒き菱構造体７０ｅにおいては、一列に配された撒き菱４０ａ、４０ｂ、４０ｃ・・・を連結状態に固定するカーソル８８が板状物から成る長尺部材６０ｃから成り、カーソル８８の長手方向両縁部８２がそれぞれ内側に折り曲げられて、カーソル８８の表側に対向する凹陥部９０、９２の一対が形成されている。一方の凹陥部９０に、撒き菱４０ａの１の先端部９４ａが挿入され、他方の凹陥部９２に、他の２の先端部９４ｂ、９４ｂが挿入され、残りの先端部９４ｃが上方に向けて突出している。撒き菱４０ａに隣接する撒き菱４０ｂは、１の先端部９４ａが凹陥部９２に挿入され、他の２の先端部９４ｂ、９４ｂが凹陥部９０に挿入されている。撒き菱４０ｂに隣接する撒き菱４０ｃは、１の先端部９４ａが凹陥部９０に挿入され、他の２の先端部９４ｂ、９４ｂが凹陥部９２に挿入されている。このように、撒き菱４０ａ、４０ｂ、４０ｃ・・・は列方向と直交する方向の向きを交互にしている。
【００４０】
撒き菱構造体７０ｅは、塀の上面等に載置することにより、容易に上方に突出した針の列を所定の場所に形成することが出来る。
【００４１】
本発明の又更に他の態様においては、図１１に示すように、複数のカーソル８８を、簾状に集合させて複合カーソル１２０とすることが出来る。複合カーソル１２０に撒き菱４０を配置して面状の撒き菱構造体７０ｆとする。図１１においては、複数のカーソル８８が簾状に集合させられており、隣接のカーソル８８同士が、各カーソル８８の面同士の成す角度が自在に変えられる状態で、即ち隣接のカーソル８８同士を互いに折り曲げ自在に連結する連結部１２２を介して連結されている。連結部１２２は蝶番等のヒンジ構造あるいは鎖状の結合部等を含んで成る。鎖状の結合は、環状物とその環状物の中空部に遊嵌された遊嵌物から成る係合構造を介して隣接の部材同士が結合されることをいう。この環状物はコイル状物であってもよい。図１１においては、カーソル８８の各縁部に孔１２４が形成されており、対向する縁部の各孔１２４に１の連結用のリング１２６の線材が挿通されている。複合カーソル１２０の面上には撒き菱が２次元的に配置されることとなり、面状の撒き菱構造体７０ｆにより撒き菱４０を２次元的に容易に配置できる。又、使用後は、撒き菱構造体７０ｆをそのまま撤去すればよく、撒き菱の撤去が容易である。
【００４２】
図１２の平面模式図に、複合カーソル１２０で構成される撒き菱構造体７０ｆを電柱等の立設する柱状物１３０に巻きつけて使用する態様を示す。登ることが禁止されている柱状物に巻きつけられた撒き菱構造体７０ｆは、人や動物が柱状物に登ることを防止する。
【００４３】
複合カーソル１２０で構成される撒き菱構造体７０ｆは簾を垂らすように建造物から垂らして使用できる。又、カーソル８８が剛に構成されているので、撒き菱構造体７０ｆを、カーソル８８の長手方向が地面のような置面に対して垂直になるようにし、建造物等に立てかけて置面に載置することもできる。即ち撒き菱を略垂直面上に配置できる。この場合撒き菱の突出先端部がその垂直面と略垂直となる。撒き菱構造体７０ｆは置面に敷設することもできる。この場合撒き菱の突出先端部がその置面と略垂直となる。
【００４４】
撒き菱構造体７０ｆは、撒き菱を内側にして丸めて巻き体として運搬や収納の操作を行なうことが出来る。
【００４５】
以上説明した本発明の撒き菱及び撒き菱構造体は、撒き菱のサイズを大きくし、例えば高さを２０〜１５０ｃｍとすることにより、暴徒対策のバリケードや、交通規制用のバリケードにも好適に適用できる。
【００４６】
なお、撒き菱を構成する棒状部材は中実の棒や、細長い板であってもよいが、中空又は管状の棒状部材であってもよい。特に、撒き菱のサイズが大きい場合は、撒き菱を構成する棒状部材が中空又は管状の棒状部材であることが重量を軽くするうえで好ましい。
【００４７】
本発明の撒き菱及び撒き菱構造体においては、撒き菱の先端が過剰に鋭利であると人や器物に無用の損傷を与えることにもなりかねないので、撒き菱の先端は棒状部材が輪切り状又は輪切り状態に近い角度に切断された端面を有してもよい。又は、先端が丸められた半球状の形状を有してもよい。あるいは、先端にキャップが嵌められた状態であってもよい。本発明の撒き菱及び撒き菱構造体がバリケードとして使用される場合は特に、このように、棒状部材の先端部に、略輪切り状に切断された端面や、丸められた半球状の先端や、キャップ等の突き刺し防止手段を備えていることがさらに好ましい。
【００４８】
なお、本明細書においては、各図にわたって記される同じ符号は同一又は同様の部材やものを示す。
【００４９】
以上本発明の撒き菱及び撒き菱構造体の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００５０】
【発明の効果】
本発明の撒き菱は、製作が容易でかつ原料素材のロスが少ない。
【００５１】
本発明の撒き菱は、大きなサイズの撒き菱を作っても材料のロスが少なく、かつ製造組み立て操作が容易である。又、先端を予め鋭利に加工してから製造組み立てが出来るので、先端鋭利な撒き菱を容易に得ることが出来る。
【００５２】
本発明の撒き菱構造体は、撒き菱を所定の面状あるいは線状に連らねて使用するときに設置や撤去が容易である。
【００５３】
本発明の撒き菱構造体により、撒き菱を所定の面状あるいは線状に連らねて略垂直な面状に容易に配置できる。
【図面の簡単な説明】
【図１】本発明の撒き菱の態様の一例を示す斜視模式図である。
【図２】本発明の撒き菱の態様の他の一例を示す斜視模式図である。
【図３】本発明の撒き菱の態様の更に他の一例を示す斜視模式図である。
【図４】本発明の撒き菱構造体の態様の一例を示す斜視模式図である。
【図５】本発明の撒き菱構造体の態様の他の一例を示す斜視模式図である。
【図６】本発明の撒き菱構造体の態様の更に他の一例を示す斜視模式図である。
【図７】本発明の撒き菱構造体の態様の更に別の一例を説明するものであり、図７（ａ）は複数の撒き菱を連結する長尺部材の斜視模式図、図７（ｂ）はその長尺部材を用いた撒き菱構造体を示す斜視模式図である。
【図８】本発明の撒き菱構造体に用いられる長尺部材の構造を示し、図８（ａ）は平面図、図８（ｂ）は正面図である。
【図９】図８に示す長尺部材を用いた撒き菱の配列の態様の上面模式図である。
【図１０】本発明の撒き菱構造体の態様の又別の一例を説明するものであり、図１０（ａ）は複数の撒き菱が他の態様の長尺部材で連結された状態を示す斜視模式図、図１０（ｂ）は図１０（ａ）の上面模式図である。
【図１１】複数のカーソルが簾状に集合した本発明の複合カーソル及びその複合カーソルを用いた撒き菱構造体の態様の一例を示す斜視模式図である。
【図１２】図１１に示す撒き菱構造体を柱状物に巻きつけて使用する態様を示す平面模式図である。
【図１３】従来の撒き菱の形状を示す斜視模式図である。
【図１４】従来の撒き菱の他の形状を示す斜視模式図である。
【図１５】従来の撒き菱の更に他の形状を示す斜視模式図である。
【符号の説明】
１４、４２、４２ａ、４４、４４ａ：棒状部材
４０、４０ａ、４０ｂ：撒き菱
６０、６０ｃ、６０ｄ、６０ｅ：長尺部材
７０、７０ｂ、７０ｃ、７０ｄ、７０ｅ、７０ｆ、７０ｇ：撒き菱構造体
７２：帯状部材
８８：カーソル
９０、９２：凹陥部
１０２：切欠き
１０４：貫通孔
１２０：複合カーソル
２ａ、２ｂ、２ｃ：従来の撒き菱
【図１】
2004225949.tif 000003
【図２】
2004225949.tif 000004
【図３】
2004225949.tif 000005
【図４】
2004225949.tif 000006
【図５】
2004225949.tif 000007
【図６】
2004225949.tif 000008
【図７】
2004225949.tif 000009
【図８】
2004225949.tif 000010
【図９】
2004225949.tif 000011
【図１０】
2004225949.tif 000012
【図１１】
2004225949.tif 000013
【図１２】
2004225949.tif 000014
【図１３】
2004225949.tif 000015
【図１４】
2004225949.tif 000016
【図１５】
2004225949.tif 000017